(57)【要約】【課題】  駆動ベースが弾性支持されているディスク装置において、ディスクを排出するときの駆動ベースの不用意な動きを規制できるようにする。【解決手段】  駆動ベース１０に設けられた切換えスライダ３０がＹ１方向へ移動するのにともなってローラブラケット４１がβ２方向へ移動し、搬送ローラ４５が対向部材４６に接近していく。その後、ローラブラケット４１が拘束部材となって駆動ベース１０が筐体２の内部で拘束される。駆動ベース１０が拘束される前に、切換えスライダ３０に設けられた規制部材３２が、筐体の規制突部９に当たって、駆動ベース１０が不用意に上向きに動くのが規制される。したがって、搬出されるディスクＤを挿入・排出口へ導くことができる。【選択図】図３
2015172987.tif 000002
【特許請求の範囲】
【請求項１】
筐体の内部に、ディスクを保持する回転駆動部を搭載した駆動ベースが弾性支持され、前記回転駆動部での保持が解除されたディスクを筐体の外部へ向けて搬出する搬送ローラが設けられているディスク装置において、
前記搬送ローラの回転力でディスクを筐体から搬出するときに、前記駆動ベースを前記筐体の内部で拘束する拘束機構が設けられており、
前記駆動ベースには、前記回転駆動部で保持されていたディスクを搬出する動作が開始されてから、前記拘束機構による前記駆動ベースの拘束が完了するまでの間に、前記筐体に当たって前記駆動ベースの動きを規制する規制部材が設けられていることを特徴とするディスク装置。
【請求項２】
前記回転駆動部でのディスクの保持解除動作と、前記拘束機構による前記駆動ベースの拘束動作が、同じ駆動源からの動力の伝達によって行われる請求項１記載のディスク装置。
【請求項３】
前記回転駆動部でのディスクの保持解除の開始と前記拘束機構による前記駆動ベースの拘束の完了との間に時間があり、前記規制部材による規制動作が前記時間に行われる請求項２記載のディスク装置。
【請求項４】
前記筐体には、遮蔽部材と、前記遮蔽部材をディスクの挿入経路を横断する遮蔽位置と前記挿入経路から離れる開放位置との間で移動させる遮蔽機構とが設けられ、前記駆動ベースに、前記遮蔽機構を動作させる遮蔽切換え部が設けられており、
前記規制部材によって、前記遮蔽切換え部が前記遮蔽機構から離れる方向へ前記駆動ベースが動かないように規制される請求項１ないし３のいずれかに記載のディスク装置。
【請求項５】
前記搬送ローラに対向する対向部材と、前記搬送ローラを支持するローラブラケットと、前記ローラブラケットを動作させて前記搬送ローラを前記対向部材に向けて移動させるローラ付勢ばねとが設けられて、前記搬送ローラと前記対向部材とでディスクが挟まれてディスクが搬出され、
前記規制部材によって、前記駆動ベースが、前記搬送ローラでディスクを押し付ける方向と同じ方向へ動かないように規制される請求項１ないし４のいずれかに記載のディスク装置。
【請求項６】
前記搬送ローラは、前記対向部材から離れているときに、ディスクを搬出する方向へ回転し始め、前記搬送ローラが、ディスクを前記対向部材に押し付ける前に、前記駆動ベースが前記規制部材で規制される請求項５記載のディスク装置。
【請求項７】
前記駆動ベースには、前記回転駆動部へのディスクのクランプとクランプ解除を行う切換えスライダが設けられ、前記規制部材が前記切換えスライダに一体に形成されており、
前記切換えスライダが、前記回転駆動部におけるディスクの保持を解除する方向へ移動するときに、前記規制部材が前記筐体の内部に当たって、前記駆動ベースが規制される請求項１ないし６のいずれかに記載のディスク装置。
【請求項８】
前記駆動ベースには、前記規制部材が回動自在に設けられており、前記規制部材の回動動作によって、前記規制部材の一部が前記筐体の内部に当たって、前記駆動ベースが規制される請求項１ないし６のいずれかに記載のディスク装置。
【請求項９】
前記駆動ベースの前部に前記拘束機構が設けられ、前記拘束機構では、前記駆動ベースに拘束部材が回動自在に支持されて、前記拘束部材が回動したときにその一部が前記筐体に当たって、前記駆動ベースが拘束され、前記規制部材が、前記拘束部材の回動力によって回動させられる請求項８記載のディスク装置。
【請求項１０】
前記拘束部材は、前記搬送ローラを支持するローラブラケットとして兼用されている請求項９記載のディスク装置。
【発明の詳細な説明】
【技術分野】
【０００１】
本発明は、ディスクを保持する回転駆動部を搭載した駆動ベースが筐体の内部で弾性支持されているディスク装置に係り、特に駆動ベースが拘束機構によって完全に拘束される前の時点で駆動ベースの不必要な動きを規制できるようにしたディスク装置に関する。
【背景技術】
【０００２】
車載用などとして使用されるディスク装置は、ディスクが筐体の前部からディスク面に沿う向きで挿入されるいわゆるスロットイン方式である。
【０００３】
このディスク装置は、前部から挿入されたディスクが搬送ローラと対向部材とで挟まれ、搬送ローラの回転力で筐体の内部に送り込まれる。ディスクの中心部が、筐体の内部の回転駆動部に保持されるときに、搬送ローラがディスクから離れる退避位置となる。ディスクを排出するときは、回転駆動部でのディスクの保持が解除されるとともに、ディスクが搬送ローラと対向部材とで挟まれ、搬送ローラの回転力によって、ディスクが筐体の外へ搬出される。
【０００４】
この種のディスク装置では、回転駆動部を有する駆動ベースが、筐体の内部で弾性支持されており、ディスクが回転駆動部で回転駆動されているときに、外部振動が回転駆動部に直接に伝達されないようになっている。また、ディスクを排出するときは、拘束機構で駆動ベースを拘束することで、ディスクが筐体の前方の挿入・排出口へ送り出されるようにしている。
【０００５】
最近のディスク装置は、最少のモータで機構部が動作するように構成されており、回転駆動部でのディスクの保持解除動作と、拘束機構での拘束動作とが、共通のモータ動力源を使用して行われるのが一般的である。そのため、ディスクの搬出動作において、回転駆動部でのディスクの保持が解除されたときから、拘束機構での駆動ベースの拘束が完了するまでの間に、一時的に駆動ベースが弾性支持されたままの状態となることがある。
【０００６】
例えば、特許文献１に記載されたディスク再生装置では、搬送ローラを支持しているローラ支持体が拘束機構の一部として機能している。ディスクを排出するときは、モータの動力でカム板が移動させられ、その移動力で回転駆動部でのディスクの保持が解除されるとともに、カム板の移動力でローラ支持体が回動させられる。搬送ローラがディスクを搬送できる位置まで回動すると、ローラ支持体が、筐体の天井面と底板に当接し、この当接力によって駆動ベースが筐体の内部で固定される。
【先行技術文献】
【特許文献】
【０００７】
【特許文献１】特開２００２−２３０８７８号公報
【発明の概要】
【発明が解決しようとする課題】
【０００８】
従来のディスク装置では、回転駆動部でのディスクの保持が解除された後に、拘束機構による駆動ベースの拘束が完了するまでの間に、弾性支持されている駆動ベースが筐体の内部で動いてしまう問題がある。
【０００９】
駆動ベースの拘束が完了するまでの間に、搬出方向へ回転している搬送ローラがディスクに当たると、ディスクが筐体の外部に向けて動き出してしまうが、このときに駆動ベースが動いてしまうと、搬出中のディスクが挿入・排出口の縁部などに当たって、ディスクが搬出されなくなる課題が生じやすい。
【００１０】
また、筐体の前部の挿入・排出口に遮蔽部材（シャッタ）が設けられ、この遮蔽部材が、駆動ベースに設けられた遮蔽切換え部で動作させられる構造を採用しているディスク装置において、ディスクの搬出動作の開始時に駆動ベースが動いてしまうと、遮蔽切換え部で遮蔽部材を確実に開放させることができないことがあり得る。
【００１１】
本発明は上記従来の課題を解決するものであり、回転駆動部でのディスクの保持が解除された後で、駆動ベースの拘束が完了するまでの間に、駆動ベースの動きを規制できるようにしたディスク装置を提供することを目的としている。
【課題を解決するための手段】
【００１２】
本発明は、筐体の内部に、ディスクを保持する回転駆動部を搭載した駆動ベースが弾性支持され、前記回転駆動部での保持が解除されたディスクを筐体の外部へ向けて搬出する搬送ローラが設けられているディスク装置において、
前記搬送ローラの回転力でディスクを筐体から搬出するときに、前記駆動ベースを前記筐体の内部で拘束する拘束機構が設けられており、
前記駆動ベースには、前記回転駆動部で保持されていたディスクを搬出する動作が開始されてから、前記拘束機構による前記駆動ベースの拘束が完了するまでの間に、前記筐体に当たって前記駆動ベースの動きを規制する規制部材が設けられていることを特徴とするものである。
【００１３】
例えば、本発明のディスク装置は、前記回転駆動部でのディスクの保持解除動作と、前記拘束機構による前記駆動ベースの拘束動作が、同じ駆動源からの動力の伝達によって行われる。
【００１４】
また、前記回転駆動部でのディスクの保持解除の開始と前記拘束機構による前記駆動ベースの拘束の完了との間に時間があり、前記規制部材による規制動作が前記時間に行われる。
【００１５】
ディスク装置では、回転駆動部によるディスクの保持が解除された後から駆動ベースの拘束が完了するまでの間に、駆動ベースが弾性支持される時間帯が発生する。この時間帯に、規制部材を使用して駆動ベースの動きが規制されることで、搬出中のディスクが安定して搬出されるようになる。
【００１６】
本発明は、前記筐体には、遮蔽部材と、前記遮蔽部材をディスクの挿入経路を横断する遮蔽位置と前記挿入経路から離れる開放位置との間で移動させる遮蔽機構とが設けられ、前記駆動ベースに、前記遮蔽機構を動作させる遮蔽切換え部が設けられており、前記規制部材によって、前記遮蔽切換え部が前記遮蔽機構から離れる方向へ前記駆動ベースが動かないように規制されるものとして構成できる。
【００１７】
上記構成のディスク装置では、回転駆動部でのディスクの保持が解除された後に駆動ベースの拘束が完了するまでの間、駆動ベースを遮蔽機構から離れる方向へ移動しないように規制しているので、駆動ベースに設けられた遮蔽切換え部によって遮蔽機構を確実に動作させることができる。
【００１８】
本発明は、前記搬送ローラに対向する対向部材と、前記搬送ローラを支持するローラブラケットと、前記ローラブラケットを動作させて前記搬送ローラを前記対向部材に向けて移動させるローラ付勢ばねとが設けられて、前記搬送ローラと前記対向部材とでディスクが挟まれてディスクが搬出され、前記規制部材によって、前記駆動ベースが、前記搬送ローラでディスクを押し付ける方向と同じ方向へ動かないように規制されることが好ましい。
【００１９】
ディスクが搬出されるときに、搬送ローラによってディスクが対向部材へ押し付けられるときに、その押し付け力で駆動ベースが動いてしまうと、搬出中のディスクが挿入口の内側などに当たりやすくなる。そこで、規制部材によって、駆動ベースが搬送ローラによる押し付け力の作用方向へ動かないように規制することで、搬出中のディスクを安定して挿入口へ送り出せるようになる。
【００２０】
本発明は、前記搬送ローラは、前記対向部材から離れているときに、ディスクを搬出する方向へ回転し始め、前記搬送ローラが、ディスクを前記対向部材に押し付ける前に、前記駆動ベースが前記規制部材で規制されることが好ましい。
【００２１】
上記構成では、回転している搬送ローラがディスクに当たったときに、駆動ベースが規制されるため、ディスクを安定した姿勢で筐体外へ搬出できる。
【００２２】
本発明は、前記駆動ベースには、前記回転駆動部へのディスクのクランプとクランプ解除を行う切換えスライダが設けられ、前記規制部材が前記切換えスライダに一体に形成されており、前記切換えスライダが、前記回転駆動部におけるディスクの保持を解除する方向へ移動するときに、前記規制部材が前記筐体の内部に当たって、前記駆動ベースが規制されるものとして構成できる。
【００２３】
また、本発明は、前記駆動ベースには、前記規制部材が回動自在に設けられており、前記規制部材の回動動作によって、前記規制部材の一部が前記筐体の内部に当たって、前記駆動ベースが規制されるものとして構成できる。
【００２４】
例えば、本発明のディスク装置は、前記駆動ベースの前部に前記拘束機構が設けられ、前記拘束機構では、前記駆動ベースに拘束部材が回動自在に支持されて、前記拘束部材が回動したときにその一部が前記筐体に当たって、前記駆動ベースが拘束され、前記規制部材が、前記拘束部材の回動力によって回動させられる。
【００２５】
本発明は、前記拘束部材は、前記搬送ローラを支持するローラブラケットとして兼用されているものとして構成できる。
【発明の効果】
【００２６】
本発明のディスク装置は、回転駆動部でのディスクのクランプが解除されてから駆動ベースの拘束が完了するまでの間に、弾性支持されている駆動ベースの動作を抑制できる。そのため、ディスクを安定した状態で搬出できる。また駆動ベースに遮蔽切換え部が設けられ、この遮蔽切換え部で筐体の遮蔽部材（シャッタ）を動作させる場合であっても、駆動ベースを規制した状態で、遮蔽部材を確実に動作させることができる。
【図面の簡単な説明】
【００２７】
【図１】本発明の第１の実施の形態のディスク装置を示す断面図、
【図２】本発明の第１の実施の形態のディスク装置を示す部分断面図であり、ディスク駆動状態を示す、
【図３】本発明の第１の実施の形態のディスク装置を示す部分断面図であり、ディスク排出開始時を示す、
【図４】本発明の第１の実施の形態のディスク装置を示す部分断面図であり、ディスク排出動作時を示す、
【図５】本発明の第１の実施の形態のディスク装置を筐体の前方から見た正面図であり、ディスク駆動状態を示す、
【図６】本発明の第１の実施の形態のディスク装置を筐体の前方から見た正面図であり、ディスク搬出動作を示す、
【図７】本発明の第２の実施の形態のディスク装置を示す部分断面図であり、ディスク駆動状態を示す、
【図８】本発明の第２の実施の形態のディスク装置を示す部分断面図であり、ディスク排出開始時を示す、
【図９】本発明の第２の実施の形態のディスク装置を示す部分断面図であり、ディスク排出動作時を示す、
【発明を実施するための形態】
【００２８】
（第１の実施の形態）
本発明の第１の実施の形態のディスク装置１は、図１と図２に示すように側方から見た状態では、Ｙ１方向が搬入方向（後方）でＹ２方向が搬出方向（前方）、Ｚ１方向が上方でＺ２方向が下方である。図５と図６に示すように、前方から見た状態では、Ｘ１方向が右側方で、Ｘ２方向が左側方である。
【００２９】
ディスク装置１は筐体２を有している。筐体２は金属板で形成されている。筐体２は、天井板３と底板４、搬出方向（前方：Ｙ２方向）に向く前部に位置する前板５と、搬入方向（後方：Ｙ１方向）に向く後板６とを有し、さらに左右方向（Ｘ１−Ｘ２方向）に向く両側板７，７を有する立方体形状である。筐体２は、いわゆる１ＤＩＮの容積を有している。車載用として使用されるときは、筐体２が自動車のインストルメントパネルの内部に設置され、前板５が、車室内に向けられる。
【００３０】
図１に示すように、筐体２の前板５には開口部５ａが形成されている。前板５の前方にはパネル８が設置される。パネル８は化粧パネルであり、表示画面や各種操作釦が配置されている。パネル８には挿入・排出口８ａが開口している。
【００３１】
ディスクＤは、挿入・排出口８ａから開口部５ａを経て筐体２の内部に搬入される。また筐体２内のディスクＤは、開口部５ａから挿入・排出口８ａを経て外部に搬出される。
【００３２】
図１に示すように、筐体２の内部に、金属板で形成された駆動ベース１０が収納されている。駆動ベース１０は、駆動板部１１と、左右方向（Ｘ１−Ｘ２方向）の両側で折り曲げられた駆動側板１２，１２を有している。駆動板部１１は、筐体２の内部の後方（Ｙ１方向）において、底板４上に設置された圧縮コイルばね１３で支持されている。筐体２の内部には、他のばね部材やダンパー部材が設けられ、ダンパー部材とばね部材ならびに前記圧縮コイルばね１３による弾性支持部材によって、筐体２の内部で、駆動ベース１０が弾性支持されている。
【００３３】
図２に示すように、駆動ベース１０には、回転駆動部２０が搭載されている。回転駆動部２０は、ターンテーブル２１を有している。駆動ベース１０には、スピンドルモータが搭載されており、スピンドルモータの回転軸２２にターンテーブル２１が固定されている。図１に示すように、駆動ベース１０には、後方（Ｙ１方向）の左右両側（Ｘ１−Ｘ２側）において、上向きに折り曲げられた一対の支持片１４が形成されている。駆動ベース１０の駆動板部１１の上にはクランプアーム２３が配置されており、クランプアーム２３の後端部が、前記支持片１４において支持軸１５で回動自在に支持されている。クランプアーム２３の前方には、支持板ばね２４が固定され、支持板ばね２４にクランパ２５が回転自在に支持されている。
【００３４】
図示省略しているが、駆動ベース１０上には、クランプアーム２３を図１と図２において時計方向へ回動するように付勢するクランプばねが設けられている。図１と図２では、ディスクＤの中心穴がターンテーブル２１上に設置され、クランプばねからα１方向への付勢力を受けてクランパ２５がディスクＤに押し付けられ、ターンテーブル２１とクランパ２５とで、ディスクＤの中心部が保持されている。
【００３５】
図１と図２に示すように、駆動ベース１０に切換えスライダ３０が搭載されている。切換えスライダ３０は、駆動ベース１０の駆動側板１２の内側において、前後方向（Ｙ１−Ｙ２方向）へ直線移動自在に支持されている。切換えスライダ３０は、回転駆動部２０に保持されるディスクＤに対して左右方向（Ｘ１−Ｘ２方向）に離れた位置で、ディスクＤに当たらないように設けられている。駆動ベース１０には、切換えモータが搭載されており、切換えモータの駆動力により、切換えスライダ３０がＹ１−Ｙ２方向へ移動させられる。
【００３６】
図１と図２に示すように、切換えスライダ３０にはクランプ押圧部３１が上向きに突出して形成されている。図１と図２に示すように、クランプアーム２３には、下向きに折り曲げられたクランプ制御部２６が設けられ、その下端に摺動片２６ａが折り曲げ形成されている。切換えスライダ３０が、Ｙ１方向へ移動して図４に示す位置へ至ると、クランプ押圧部３１で摺動片２６ａが上向きに持ち上げられ、クランプアーム２３が反時計方向（α２方向へ）へ回動させられて、クランパ２５がディスクＤから離れ、ディスクＤの保持が解除される。
【００３７】
図１と図２に示すように、切換えスライダ３０には、前記クランプ押圧部よりも前方（Ｙ２方向）で上向きに突出する規制部材３２が一体に形成されている。筐体２の天井板３の下面（内面）には、下向きに突出する規制突部９が設けられている。規制突部９は、天井板３と一体に形成されている。
【００３８】
図２の状態から切換えスライダ３０がＹ１方向へ向けて移動する過程で、図３に示すように、規制部材３２が規制突部９の下面に当接すると、外部振動などが与えられても、駆動ベース１０が上向き（Ｚ１方向）へ移動しないように規制される。
【００３９】
筐体２の前板５の内側に搬送機構４０が設けられている。搬送機構４０には、ローラブラケット４１が設けられている。図５と図６に示すように、ローラブラケット４１は左右方向（Ｘ１−Ｘ２方向）に延びる長さを有している。ローラブラケット４１は、左右方向に延びるガイド板部４２と、その左右両側部で下向きに折り曲げられた支持側板４３とを有している。図１に示すように、駆動ベース１０の駆動側板１２の前方部分は回動支持部１２ａとなっており、この回動支持部１２ａに支持軸１７が固定されている。ローラブラケット４１の支持側板４３は、回動支持部１２ａの内側に重ねられて、前記支持軸１７で連結されている。よって、ローラブラケット４１が、図２に示すβ１方向と、図３と図４に示すβ２方向へ回動自在に支持されている。
【００４０】
図１と図２に示すように、ローラブラケット４１の左右両側に折り曲げられた支持側板４３には、Ｙ１側にローラ軸４４が回転自在に支持されており、ローラ軸４４の外周に合成ゴム材料で形成された搬送ローラ４５が装着されている。
【００４１】
搬送機構４０では、筐体２の天井板３の下側に対向部材４６が固定されている。対向部材４６は摩擦係数の小さい合成樹脂材料で形成されている。対向部材４６の下面は摺動面４６ａであり、摺動面４６ａには、搬送ローラ４５の軸方向に沿って軸凹部４６ｂが形成されている。
【００４２】
ローラブラケット４１は図示しないローラ付勢ばねによってβ２方向へ付勢されている。ローラブラケット４１に外力が作用していないときは、図４に示すように、ローラ付勢ばねの付勢力で、搬送ローラ４５が対向部材４６に圧接され、搬送ローラ４５と対向部材４６とでディスクＤを挟持できるようになる。
【００４３】
図１に示すように、駆動ベース１０の駆動側板１２に形成された回動支持部１２ａの内側に、伝達部材４７が配置されている。回動支持部１２ａには内側へ突出する支持軸４８が固定されており、伝達部材４７が支持軸４８で回動自在に支持されている。伝達部材４７のＹ２側の端部に連結凹部４７ａが形成されている。ローラブラケット４１の支持側板４３には連結軸４９が固定されており、連結凹部４７ａと連結軸４９とが連結されている。
【００４４】
図２に示すように、伝達部材４７にはＹ１側の端部に突出部４７ｂが一体に形成されている。切換えスライダ３０のＹ２側の端部に、持ち上げカム部３３が一体に形成されている。図２に示すように、切換えスライダ３０が前方（Ｙ２方向）へ移動していると、持ち上げカム部３３で突出部４７ｂが持ち上げられ、伝達部材４７がγ１方向へ回動させられ、伝達部材４７の伝達力によって、ローラブラケット４１がローラ付勢ばねの付勢力に対抗してβ１方向へ回動させられる。図４に示すように、切換えスライダ３０がＹ１方向へ移動すると、持ち上げカム部３３が突出部４７ｂから離れる。伝達部材４７とローラブラケット４１に拘束力がなくなるため、ローラブラケット４１はローラ付勢ばねの付勢力によって、図４に示すようにβ２方向へ回動させられる。
【００４５】
図２に示すように、ローラブラケット４１の支持側板４３には、上方拘束部５１が形成され、上方拘束部５１の一部に掛止突起５２が突出している。前記支持側板４３には、上方拘束部５１と対向する位置の下方拘束部５３が形成されている。ローラブラケット４１は拘束部材として機能している。また、伝達部材４７とローラブラケット４１とで拘束機構５０が構成されている。
【００４６】
図２と図５に示すように、筐体２の前板５と搬送機構４０との間に遮蔽機構６０が配置されている。遮蔽機構６０は、遮蔽部材（シャッタ）６１を有している。遮蔽部材６１は、前板５の内面に固定された支持軸６２によって回動自在に支持されている。図５に示すように、遮蔽部材６１と前板５との間に、遮蔽ばね６３が掛けられている。遮蔽ばね６３は引張りコイルばねであり、遮蔽ばね６３の付勢力によって、遮蔽部材６１は常にφ１方向へ付勢されている。
【００４７】
遮蔽機構６０には、切換え伝達部材６４が設けられている。切換え伝達部材
６４はトーションばねであり、その巻き部６４ａが、前板５の内面に設けられたばね支持部５ｂに支持されている。切換え伝達部材６４には付勢腕６４ｂが設けられ、この付勢腕６４ｂが遮蔽部材６１に掛止されている。切換え伝達部材６４には、操作腕６４ｃが延びている。図２に示すように、ローラブラケット４１には、Ｙ２側の先部に遮蔽切換え部５４が形成されており、遮蔽切換え部５４で操作腕６４ｃを押圧できるようになっている。
【００４８】
次に、前記ディスク装置１の動作を説明する。
（ディスク搬入動作）
図４に示す状態でディスクＤが搬入される。図４では、切換えスライダ３０がＹ１方向へ移動しており、回転駆動部２０では、クランプ押圧部３１によってクランプアーム２３がα２方向へ持ち上げられて、クランパ２５がターンテーブル２１から上方へ離れている。
【００４９】
切換えスライダ３０の持ち上げカム部３３は、伝達部材４７の突出部４７ｂから離れており、ローラブラケット４１はローラ付勢ばねの付勢力によってβ２方向へ回動させられている。そして搬送ローラ４５が対向部材４６の軸凹部４６ｂに圧接されている。
【００５０】
ローラブラケット４１は拘束機構５０を構成する拘束部材として機能しており、ローラ付勢ばねの付勢力を受けて、上方拘束部５１が筐体２の天井板３の内面に当接させられるとともに、係止突起５２が天井板３に掛止されている。また、下方拘束部５３が筐体２の底板４の内面に圧接される。これにより、駆動ベース１０は少なくとも前方部分（Ｙ２側の部分）が筐体２の内部で拘束されている。
【００５１】
図４と図６の状態では、ローラブラケット４１に形成された遮蔽切換え部５４によって、遮蔽機構６０に設けられた切換え伝達部材６４の操作腕６４ｃが押し下げられている。その結果、トーションばねである切換え伝達部材６４の付勢腕６４ｂで遮蔽部材６１がφ２方向へ回動させられる。遮蔽部材６１は遮蔽ばね６３の弾性力に対抗して、図６に示す開放位置にまで回動し、挿入・排出口８ａが解放されている。
【００５２】
挿入・排出口８ａならびに開口部５ａからディスクＤが筐体２の内部に挿入され、これが筐体２に設けられた検知部材で検知されると、搬送モータが始動する。搬送モータの回転力は図示しない歯車機構を介してローラ軸４４に伝達され、ローラ軸４４が搬入方向へ回転駆動される。よって、ディスクＤは搬送ローラ４５と対向部材４６とで挟持され、搬送ローラ４５の回転力によって筐体２の内部に送り込まれる。
【００５３】
搬入されたディスクＤの中心がターンテーブル２１の上に移動し、これが搬入検知部材で検知されると、切換えモータが始動して、その動力が切換えスライダ３０に伝達され、切換えスライダ３０がＹ２方向へ移動する。その移動過程で、図３に示すように、切換えスライダ３０のクランパ押圧部３１がクランプ制御部２６の摺動片２６ａから離れ、クランプアーム２３がクランプばねの付勢力でα１方向へ回動させられ、クランパ２５でディスクＤの中心部がターンテーブル２１に押し付けられて、回転駆動部２０でディスクＤが保持される。
【００５４】
切換えスライダ３０が図２の位置まで前進すると、持ち上げカム部３３で突出部４７ｂが持ち上げられ、伝達部材４７がγ１方向へ回動ささせられる。この回動力によってローラブラケット４１がβ１方向へ回動させられて、搬送ローラ４５がディスクＤから離れる。なお、搬送ローラ４５は搬入方向へ回転しながらディスクＤから離れ、図２の状態となったときに搬送モータが停止し、搬送ローラ４５が停止する。さらにローラブラケット４１の上方拘束部５１と下方拘束部５３が筐体２の天井板３と底板４から離れ、拘束機構５０による拘束が解除されて駆動ベース１０が弾性部材で弾性支持された状態となる。
【００５５】
図２と図５に示すように、ローラブラケット４１がβ１方向へ回動していると、ローラブラケット４１の一部である遮蔽切換え部５４が切換え伝達部材６４の操作腕６４ｃから離れている。遮蔽部材６１は遮蔽ばね６３によってφ１方向へ回動させられて遮蔽位置となり、遮蔽部材６１で挿入・排出口８ａならびに開口部５ａが内側から塞がれている。これにより、別のディスクが誤って筐体２の内部に挿入されるのを防止できる。
【００５６】
駆動ベース１０が弾性支持された状態で、回転駆動部２０のスピンドルモータが回転し、ディスクＤが回転駆動される。そして、駆動ベース１０に支持されたヘッドによって、ディスクＤに記録された情報の再生や情報の記録動作が行われる。
【００５７】
（ディスク搬出動作）
パネル８に設けられた操作釦の操作やリモートコントロールの操作によって、ディスクＤを筐体２から取り出すための指示が入力されると、駆動ベース１０上の切換えモータが始動して、切換えスライダ３０が、図１と図２に示す位置からＹ１方向へ移動する。これとほぼ同時に搬送モータが始動して、図１と図２の状態から、搬送ローラ４５が搬出方向（時計方向）へ回転し始める。
【００５８】
切換えスライダ３０が図２の位置からＹ１方向へ移動して図３の状態になると、切換えスライダ３０のＹ２側の先部の持ち上げカム部３３が伝達部材４７の突出部４７ｂから離れ始める。よって、伝達部材４７がγ２方向へ回動可能になり、ローラブラケット４１はローラ付勢ばねの付勢力でβ２方向（時計方向）へ回動し始め、回転している搬送ローラ４５がディスクＤの下面に接近していく。
【００５９】
切換えスライダ３０が、図３に示す位置から図４に示す位置まで移動する間に、切換えスライダ３０に形成されたクランプ押圧部３１がクランプ制御部２６の摺動片２６ａの下側に入り込み、クランプアーム２３がα２方向（反時計方向）へ回動し始めて、クランパ２５がディスクＤから上方へ離れ始める。これと併行して、搬出方向へ回転している搬送ローラ４５でディスクＤが持ち上げられるため、ターンテーブル２１でのディスクＤの保持が解除される。このとき、ディスクＤにＹ２方向への搬出力が作用し始める。
【００６０】
切換えスライダ３０が図３の位置から図４の位置に至る直前まで、切換えスライダ３０に形成された規制部材３２が、筐体２の天井板３に設けられた規制突部９の下側に当たって摺動する。これにより、弾性支持されている駆動ベース１０が上方（Ｚ１方向）へ持ち上がるのが規制される。ディスクＤを搭載した駆動ベース１０が弾性支持の中立姿勢にあるときに、規制部材３２の上端部と規制突部９の下端部とが同じ高さ位置になるように、規制部材３２と規制突部９との相対位置が決められて、駆動ベース１０が中立姿勢よりも上方へ動くのが規制される。あるいは、規制部材３２の上端部と規制突部９の下端部とが当接したときに、ディスクＤを搭載した駆動ベース１０が中立姿勢よりもやや下向き（Ｚ１側）へ押し下げられてもよい。
【００６１】
保持が解除されたディスクＤが搬送ローラ４５で持ち上げられるときに、規制部材３２と規制突部９との当接により、駆動ベース１０が搬送ローラ４５での持ち上げ方向であるＺ１方向へ動かないように規制される。そのため、ディスクＤが挿入・排出口８ａに導かれるようになり、ディスクＤが挿入・排出口８ａの上縁部に当たって、排出ができなくなる、などの問題が生じなくなる。
【００６２】
また、ローラブラケット４１が、図３に示す姿勢からさらにβ２方向へ回動するときに、ローラブラケット４１の遮蔽切換え部５４が切換え伝達部材６４の操作腕６４ｃに当たって下向きに押圧する。操作腕６４ｃによって切換え伝達部材６４であるトーションばねの巻き部６４ａに捩じり力が与えられ、その弾性力によって付勢腕６４ｂが上向きに跳ね上げられ、遮蔽部材６１がφ２方向へ回動させられて解放位置となる。
【００６３】
遮蔽切換え部５４が操作腕６４ｃに当たる時点では、図３に示すように、規制部材３２と規制突部９とが当たっており、駆動ベース１０がＺ１方向へ移動するのが規制され、遮蔽切換え部５４が操作腕６４ｃから離れる方向へ移動するのが規制されている。そのため、遮蔽切換え部５４によって操作部６４ｃを確実に動作させることができ、操作腕６４ｃを必要以上に長く形成する必要もなくなる。
【００６４】
切換えスライダ３０が図４の位置まで移動すると、クランプ押圧部３１によってクランプアーム２３がα１方向へ大きく回動させられて、クランパ２５がターンテーブル２１から上方へ大きく離れるようになる。また、搬送ローラ４５が対向部材４６に圧接し、ディスクＤは搬送ローラ４５と対向部材４６とで挟まれて挿入・排出口８ａから外部へ排出せられる。
【００６５】
切換えスライダ３０が図４の位置に至ったことが図示しないリミットスイッチで検知されると、切換えモータが停止し、切換えスライダ３０が図４の位置で停止する。このとき切換えスライダ３０が伝達部材４７から離れるために、拘束部材であるローラブラケット４１が、ローラ付勢ばねの付勢力でβ２方向へ回動させられる。そして、上方拘束部５１が天井板３に当接し掛止突起５２が天井板３に掛止され、下方拘束部５３が底板４に当接して、駆動ベース１０の前方部分がローラブラケット４１によって筐体２の内部で拘束される。
【００６６】
このとき、図４に示すように、切換えスライダ３０に形成された規制部材３２が、天井板３に設けられた規制突部９から離れる。したがって駆動ベース１０に過剰な拘束力が作用するのを防止でき、駆動ベース１０を支持する弾性支持部材の疲労などを防止できるようになる。
【００６７】
（第２の実施の形態）
図７ないし図９に示す第２の実施の形態のディスク装置１０１は、第１の実施の形態と同じ筐体２を有している。ただし、図７ないし図９では、筐体２の左右方向の向きが第１の実施の形態と逆であり、搬入方向（Ｙ１方向）が図示右方向へ向けられ、搬出方向（Ｙ２方向）が図示左方向へ向けられている。
【００６８】
図７ないし図９に示すように、筐体２の内部に弾性支持された駆動ベース１０が設けられている。第１の実施の形態と同様に、筐体２の内部前方には、拘束部材としても機能するローラブラケット４１が支持軸１７を支点として回動自在に支持されている。ローラブラケット４１にはローラ軸４４が支持され、ローラ軸４４に搬送ローラ４５が装着されている。図７ないし図９には省略されているが、筐体２の天井板３の内面には、対向部材４６が固定されており、ディスクＤは、搬送ローラ４５と対向部材４６とで挟持されて搬送される。
【００６９】
図示省略しているが、筐体２の前板５の内部には遮蔽機構６０が設けられており、ローラブラケット４１の前方に形成された遮蔽切換え部５４で、切換え伝達部材６４が押されることで遮蔽部材６１が閉鎖位置に設定される。
【００７０】
ローラブラケット４１の一端には、上方拘束部５１と掛止突起５２が一体に形成されており、他端には、下方拘束部５３が一体に形成されている。
【００７１】
第１の実施の形態と同様に、駆動ベース１０には、切換えスライダ３０と伝達部材４７が設けられ、切換えスライダ３０の力が伝達部材４７を介してローラブラケット４１に伝達されて、ローラブラケット４１が回動させられる。
【００７２】
第１の実施の形態では、規制部材３２が切換えスライダ３０と一体に形成されていたが、図７ないし図９に示す第２の実施の形態では、規制部材１３２が、駆動ベース１０の駆動側板１２に回動自在に支持されている。規制部材１３２に規制当接部１３６が形成されている。
【００７３】
規制部材１３２は、支持軸１３１によって、駆動側板１２に回動自在に支持されている。規制部材１３２には規制カム部１３４が形成されている。規制カム部１３４はカム長穴であり、ローラブラケット４１に固定された制御ピン１３５が規制カム部１３４に摺動自在に挿入されている。
【００７４】
第２の実施の形態のディスク装置では、回転駆動部２０でディスクＤが駆動されているときは、図７に示すように、ローラブラケット４１がβ１へ回動し、搬送ローラ４５が下方向へ移動してディスクＤに当たらないようになっている。
【００７５】
ディスクＤの排出動作では、切換えスライダ３０のＹ１方向への移動に伴って、図８から図９に示すように、ローラブラケット４１がβ２方向へ回動していく。このとき、ローラブラケット４１の制御ピン１３５が規制カム部１３４内を摺動することで規制部材１３２が先行して反時計方向へ回動させられ、図８の時点で、規制当接部１３６が天井板３に当接して、駆動ベース１０がそれ以上に上方へは移動しないように規制される。図９に示すように、ローラブラケット４１がさらにβ２方向へ回動すると搬送ローラ４５と対向部材４６とでディスクＤが挟持できるようになり、さらに、ローラブラケット４１の上方拘束部５１が天井体３に圧接し、下方拘束部５３が底板４に圧接して、駆動ベース１０が拘束される。
【００７６】
図９では、規制部材１３２が時計方向へ回動させられ、規制当接部１３６が天井板３から離れ、規制部材１３２による規制が解除されている。
【００７７】
第２の実施の形態では、図８の時点で規制部材１３２が天井板３に当接して、駆動ベース１０の上向きの移動が規制される。そのタイミングは、第１の実施の形態において規制部材３２と規制突部９とが当接するタイミングと同じである。よって、ディスクＤを挿入・排出口８ａに向けて移動させることができ、またローラブラケット４１によって、遮蔽機構６０を正確に動作させることができるようになる。
【符号の説明】
【００７８】
１  ディスク装置
２  筐体
３  天井板
４  底板
５ａ  開口部
８ａ  挿入・排出口
９  規制突部
１０  駆動ベース
１３  圧縮コイルばね
２０  回転駆動部
２１  ターンテーブル
２３  クランプアーム
２５  クランパ
２６  クランプ制御部
３０  切換えスライダ
３１  クランプ押圧部
３２  規制部材
３３  持ち上げカム部
４１  ローラブラケット（拘束部材）
４４  ローラ軸
４５  搬送ローラ
４６  対向部材
４７  伝達部材
５０  拘束機構
５１  上方拘束部
５３  下方拘束部
５４  遮蔽霧空け部
６０  遮蔽機構
６１  遮蔽部材
６４  切換え伝達部材
１０１  ディスク装置
１３２  規制部材
【図１】
2015172987.tif 000003
【図２】
2015172987.tif 000004
【図３】
2015172987.tif 000005
【図４】
2015172987.tif 000006
【図５】
2015172987.tif 000007
【図６】
2015172987.tif 000008
【図７】
2015172987.tif 000009
【図８】
2015172987.tif 000010
【図９】
2015172987.tif 000011